(57)【要約】【課題】  着脱が簡単におこなえ、嵩張ることのない衣類用ハンガーのフックを提供できるようにすることを目的とするものである。【解決手段】  左右に延びるアームの中央部分から上方に配設される衣料用ハンガーのフックであって、弾性部材で形成されており、下端若しくはその近傍部分が直接又は回動枢支部を介してアームの中央部分に連結され、当該連結部から延出された端部同士を内外若しくは前後に重なり合わせることにより環状に形成し、当該重ね合わされた部分を前後に弾性変形させて開閉可能な開口部とした。【選択図】図１
2006149926.tif 000002
【特許請求の範囲】
【請求項１】
、左右に延びるアームの中央部分から上方に配設される衣料用ハンガーのフックであって、弾性部材で形成されており、下端若しくはその近傍部分が直接又は回動枢支部を介してアームの中央部分に連結され、当該連結部から上方に延出された端部同士を内外若しくは前後に重なり合わせて環状に形成し、当該重ね合わされた部分を前後に弾性変形させて開閉可能な開口部としたことを特徴とする衣類用ハンガーのフック。
【請求項２】
フックが弾性部材で、アームの一部に一体形成されていることを特徴とする請求項１に記載の衣類用ハンガーのフック。
【請求項３】
開口部の環状内周面に、索条嵌合用凹部を形成したことを特徴とする請求項１に記載の衣料用ハンガーのフック。
【発明の詳細な説明】
【技術分野】
【０００１】
本発明は、シャツやセータ等の衣類を掛けるときに使用される衣類用ハンガーのフック分に関するものである。
【背景技術】
【０００２】
一般に、衣類用ハンガーは左右に延びるアームの中央に鉤状のフックを回転可能に配設したものが知られている。（例えば特許文献１）。
ところが、こうした一般的なハンガーのフックでは、アーム部分に衣類を掛け、これを物干し竿にフックを掛合して使用した場合、フック分が大きく開口しているために、風で揺れたり、物が当たって揺れたりしたときに簡単に外れ落ちてしまうという問題があった。
そこで、フックの開口部に揺動可能なロック片を設け、このロック片でフックの開口部分を開閉するようにしたものが提案されている（特許文献２）。
【特許文献１】特開２０００−３４２４０９号公報
【特許文献２】特開２００３−２９９５６５号公報
【発明の開示】
【発明が解決しようとする課題】
【０００３】
上記特許文献２に記載されたフック分に開閉揺動可能なロック片を設けたものでは、構造が複雑になり製造コストが高くなるとともに、厚みも厚く嵩張ってしまい、収納や携帯・輸送に大きなスペースを要してしまうという問題があった。
本発明は上記問題点に鑑みて提案されたもので、着脱が簡単で、収納や携帯・輸送にも嵩張らない衣類用ハンガーのフックを提供できるようにすることを目的とするものである。
【課題を解決するための手段】
【０００４】
上記目的を達成するために本発明にかかる衣類用ハンガーのフックは、左右に延びるアームの中央部分から上方に配設される衣料用ハンガーのフックであって、弾性部材で形成されており、下端若しくはその近傍部分が直接又は回動枢支部を介してアームの中央部分に連結され、当該連結部から上方に延出された端部同士を内外若しくは前後に重なり合わせて環状に形成し、当該重ね合わされた部分を前後に弾性変形させて開閉可能な開口部としたことを最も主要な特徴とするものである。
【０００５】
また、本発明にかかる衣類用ハンガーのフックでは、フックが弾性部材で、アームの一部に一体形成されていることや、開口部の環状内周面に、索条嵌合用凹部を形成したことも特徴とするものである。
【発明の効果】
【０００６】
本発明にかかる衣類用ハンガーのフックでは、衣類用ハンガーを例えば物干し竿掛合する場合、重なり合う端部同士を上下若しくは前後に開いて開口部を開きここから物干し竿をするか、竿の先を環状の開口部に差し入れて衣類用ハンガーを吊り下げ、外すときはフック分を持って捻るだけで、フック分の開口部分が上下若しくは前後に開いて開口部を開き簡単に取り外すことができる。
これにより、衣類用ハンガーの取り扱いが至便なものにすることができるという利点がある。
【０００７】
また、フック分の開口部分がアームへの連結部を除く周囲の一部に、端部同士が内外若しくは前後に重なり合わせて環状に形成したものであって、開閉揺動可能なロック片を設けた従来のもののように嵩張ることがない。
これにより、収納や携帯・輸送に大きなスペースを要せず、そのコストを安価にすることができる利点がある。
【発明を実施するための最良の形態】
【０００８】
本発明にかかる衣類用ハンガーのフックを図面に基づいて説明する。
【実施例１】
【０００９】
以下、図面を参照して本発明の一実施例を説明する。
図１は衣類用ハンガーの正面図、図２は衣類用ハンガーの側面図、図３は衣類用ハンガーの平面図であって、図中符号１は衣類用ハンガーを全体的に示す。
この衣類用ハンガー１は、細幅で縦長の左右一対のアーム部２・２と、と該アーム部２・２をその上下部分で連結する連結部３・４と、上部連結部分３から垂下され下部連結部分４を貫通する状態で設けられた支軸６と、支軸６が貫通する下部連結部分４に設けられた掛止手段７を備えており、上部連結部分３にはフック５が設けられている。
【００１０】
上記一対のアーム部２・２、上下の連結部３・４及びフック５は弾性を有する合成樹脂で一体に形成されている。
一対の各アーム部２・２は、細幅で縦長の板状に形成され、その中間高さ位置部分を薄肉にした折れ曲り部８が図１上左方のアーム部に端前面に、右方のアーム部には後面に形成されるとともに、これら折れ曲り部８の平面部分には等間隔に形成された筋状の滑り止め用突起９が形成されている。
アーム部２・２の各上下端部同士は、薄肉に形成された枢支部１０を介して連結部３・４で連結されており、上部連結部３の中央部にフック５が形成されている。
またフックの下方には、上部連結部分３から支軸６が下部連結部４を貫通する状態で
垂下されており、当該支軸６の下半部にはその表面に後述する掛止手段７の一部を構成する鋸歯状の凹凸１２が形成されている。
【００１１】
上記掛止手段７は、図４及び図５に示すように、支軸６と下部連結軸４とが相対摺動可能な支軸挿通孔１３を下部連結部４に形成し、この支軸挿通孔１３に挿通された支軸６の凹凸１２に対面する部分の下部連結部４に、掛止片１１を残した状態でＵ型のスリット１３を穿設することにより、掛止片１１の基端部分１１ａを揺動中心として先端部分が操作片１４で図５上左右に操作可能に構成してある。
この掛止片１１と操作片１４とを詳述すると、先ず操作片１４は、下部連結部４に形成された軸受け部分１５に嵌合する軸部１６を操作片１４の中央部分側方に短円柱状に突出して形成するとともに、この軸部１６の下方で掛止片１１の前端寄り部分に嵌合するゲート状の嵌合部１７が形成されている。
【００１２】
一方、掛止片１１は、その端部に上記嵌合部１７が嵌合し易くするための傾斜面１８が形成され、傾斜面１８の上部には嵌合部１７が掛合する凹部１９が形成されている。
また、掛止片１１の凹部１９と基端部１１ａとの間には上記支軸の凹凸１２に掛合して下部連結部４が下降するのを防止する方向働く形の鋸歯状の掛止部２０が突出形成されている。
上記フック５は、図１に示すように全体が概ね角型の環状になっており、上部連結部３寄りの中央に手長猿の図柄２１が設けられ、この手長猿の両手が上方に延びてその端部２１ａが上部で上下に重ね合わされた状態にした部分に開口部２２が形成されている。
この開口部２２の下面はこの衣料用ハンガー１を例えば物干し竿２３（図８参照）や、ロープ等の索条に掛止したときの馴染みをよくするための弧状凹部２４が形成されている。
そして、手長猿の図柄２１が設けられたフック５は、上部連結部３に近接し、支軸６の上端部分６aに対面する部分から、下端に掛合用鉤型突起２５が形成された回転枢支部２６が形成されている。
この回転枢支部２６は、上部連結部３に形成された支軸装着部２７に挿入された支軸６の上端部６aの挿入孔２８に挿入した掛合用鉤型突起２５で支軸６を抜け止めすると、フック５が上部連結部３に回転可能に組みつけられる。
【００１３】
上記のように構成された衣類用ハンガー１を使用する手順を次に説明する。
先ず、図７のaに示すように、上下に重なった手長猿の両手の端部２１ａの隙間部分を物干し竿２３にあてがい押し込むと、フック５の開口部２５は図７のｂのように前後にずれて開口する。
次に図７のaに示すように、フック５をそのまま押し上げると、図７のbに示すように、物干し竿２３はフック５内に入り、衣類用ハンガー１は物干し竿２３に吊下げられた状態になる。
こうして物干し竿２３に吊下げられた衣類ハンガー１の下方からセータ等の衣類２５を挿入した後、下部連結部４を上昇させると、図６に示すように左右のアーム部２・２はそれぞれ上下の薄肉の枢支部１０・１０を回動中心として谷折れし、折れ曲り部８部分で山折れすることにより、当該折れ曲り部８が互いに離反する前後方向に広がり、衣類２５がアーム部２・２に支持される。
そして、左右のアーム部２・２が所望する角度になると、下部連結部４の上昇を停止させると、掛止手段７の掛止片１１が支軸６に形成された凹凸１２に嵌合するので、下部連結軸４は下降できない状態に保持され、左右のアーム部２・２は所望する角度で固定される。
【００１４】
こうしてアーム部２・２に掛けられた衣類２５は、折れ曲り部８に形成された筋状の滑り止め用突起９により、滑り落ちたり、型崩れすることなく、ハンガー１に吊り下げられる。
セータ等の衣類を取り外す時は、掛止手段７の操作片１１の上端部分を押し込み操作する。すると、操作片１１の中央部分の軸部１６が下方連結部４の軸受け部分１５に枢支されていることから、操作片１４の下端が手前側に突出する。
これにより、嵌合部１７を介して掛止片１１の下部が手前側に引かれ、支軸６の凹凸１２に掛合した掛止部２０の掛合が解かれ、下部連結部４が下降可能となる。
【００１５】
下部連結部４を下降させるとこれまで、左右に広がっていたアーム部２・２は折れ曲がり部８が近付く方向に移動するので、セータ等の衣類は自然に落下し、衣類用ハンガー１から抜け出るので、襟首部分をのばすことなく衣類用ハンガーから取り出すことができる。
下部連結部４をさらに下降させて図１乃至図３に示すように扁平な状態になった衣類用ハンガー１を物干し竿２３から外す場合を説明する。
図９のaに示すように、フック５を持って捻る。
すると図９のbのように上下に重なった開口部が物干し竿２３で抉られて開口するので、図９のcに示すように下方に引き下げて図９のｄのように衣類用ハンガー１は物干し竿から簡単に取り外すことができる。
斯くして物干し竿２３から外された扁平に折り畳まれた衣類用ハンガー１は、フック５が嵩張らず携帯に便利になるだけでなく、積み重ねることができ、小スペースで大量輸送がおこなえ、収納スペースも少なくすることができる。
【００１６】
尚、上記実施の形態では、フック５を、上部連結部３寄りの中央に手長猿の図柄２１とし、この手長猿の両手が上方に延びてその端部２１ａが上部で上下に重ね合わされた状態にして開口部２２を形成するようにしてあるが、こうしたものに限られず、端部２１a同士を前後に重ね合わせるようにすることができるのはもちろんのこと、図柄を種々に変更することができるのは言うまでもない事である。
上記端部２１a同士を前後に重ね合わせる場合、手長猿の手に相当する部分を、同形状の片手をC形に形成したものを二つ形成し、上端部同士を前後に重ね合わせた状態にし、下端部を連結部に固定して形成することができる。
さらに、上記実施の形態ではフックを上部連結部に回動枢支部で回転可能に設けるようにしてあるが、こうしたものに限られず、フックを弾性部材でアームの一部に一体形成することも可能である。
【図面の簡単な説明】
【００１７】
【図１】は本発明にかかる衣類用ハンガーの正面図である。
【図２】は本発明にかかる衣類用ハンガーの側面図である。
【図３】は本発明にかかる衣類用ハンガーの平面図である。
【図４】は本発明にかかる衣類用ハンガーの掛止手段部分の正面図である。
【図５】は本発明にかかる衣類用ハンガーの掛止手段部分の縦断側面図である。
【図６】は本発明にかかる衣類用ハンガーの回転枢支部の拡大断面図である。
【図７】は本発明にかかる衣類用ハンガーを物干し竿に掛止する手順を示す斜視図である。
【図８】は本発明にかかる衣類用ハンガーの使用状態の斜視図である。
【図９】は本発明にかかる衣類用ハンガーを物干し竿から外す手順を示す斜視図である。
【符号の説明】
【００１８】
１・・・衣類用ハンガー
２・・・アーム部
３・・・上部連結部（連結部）
４・・・下部連結部（連結部）
５・・・フック
２２・・・開口部
２４・・・弧状凹部
【図１】
2006149926.tif 000003
【図２】
2006149926.tif 000004
【図３】
2006149926.tif 000005
【図４】
2006149926.tif 000006
【図５】
2006149926.tif 000007
【図６】
2006149926.tif 000008
【図７】
2006149926.tif 000009
【図８】
2006149926.tif 000010
【図９】
2006149926.tif 000011